(57)【要約】【課題】液体で濡れた状態で使用できる布の品質の劣化を抑制する。【解決手段】布収容器は、布Ｃが収容された第１収容部１４と、液体Ｌが収容された、第１収容部１４と異なる第２収容部１５と、第１収容部１４と第２収容部１５との間を隔離する隔離部１２と、を有し、隔離部１２は、外部から所定の大きさ以上の力が加えられることにより第２収容部１５に収容された液体Ｌが第１収容部１４に流入するように第１収容部１４と第２収容部１５とを連通させる連通部１２２を有する。【選択図】図１
2020147312.tif 000002
【特許請求の範囲】
【請求項１】
布が収容された第１収容部と、
液体が収容された、前記第１収容部と異なる第２収容部と、
前記第１収容部と前記第２収容部との間を隔離する隔離部と、
を有し、
前記隔離部は、外部から所定の大きさ以上の力が加えられることにより前記第２収容部に収容された前記液体が前記第１収容部に流入するように前記第１収容部と前記第２収容部とを連通させる連通部を有する布収容器。
【請求項２】
前記連通部は、前記第２収容部の外面が前記所定の大きさの力で押された場合には前記第１収容部と前記第２収容部とを連通させない、
請求項１に記載の布収容器。
【請求項３】
前記連通部に接続されており、前記第１収容部と前記第２収容部とを連通させるための開口を形成するための力を受けるための操作部をさらに有する、
請求項１又は２に記載の布収容器。
【請求項４】
前記操作部は、前記連通部に接続された糸を含み、
前記連通部は、前記糸が前記布収容器から離れる向きに力が加えられることにより前記開口を形成する、
請求項３に記載の布収容器。
【請求項５】
前記第１収容部は、前記布として不織布を収容し、
前記第２収容部は、前記液体としてアルカリイオン水を収容する、
請求項１から４のいずれか一項に記載の布収容器。
【請求項６】
前記第１収容部及び前記第２収容部と隔離されており、前記第２収容部に収容された液体と同一の成分又は異なる成分の液体を収容する第３収容部をさらに有する、
請求項１から５のいずれか一項に記載の布収容器。
【請求項７】
前記第２収容部に収容された前記液体を前記第１収容部及び前記第２収容部の外部に排出するための排出口をさらに有する、
請求項１から６のいずれか一項に記載の布収容器。
【発明の詳細な説明】
【技術分野】
【０００１】
本発明は、布を収容する布収容器に関する。
【背景技術】
【０００２】
従来、身体や物品を拭くために使用される濡れた布を収容する容器が知られている。特許文献１には、界面活性剤、保存料、オイル、及び芳香剤等の水性組成物で濡れた状態で折りたたまれた布を収容する容器が開示されている。
【先行技術文献】
【特許文献】
【０００３】
【特許文献１】特表２００３−５２１４２７号公報
【発明の概要】
【発明が解決しようとする課題】
【０００４】
このような布は、洗浄用の水を入手することができない場所において身体や物品を拭く際に有用であり、災害用の備品としても用いられている。しかしながら、液体で濡れた状態の布を長期間（例えば５年間）にわたって保管すると、品質が劣化してしまうという問題が生じていた。
【０００５】
そこで、本発明はこれらの点に鑑みてなされたものであり、液体で濡れた状態で使用できる布の品質の劣化を抑制することができる布収容器を提供することを目的とする。
【課題を解決するための手段】
【０００６】
本発明の布収容器は、布が収容された第１収容部と、液体が収容された、前記第１収容部と異なる第２収容部と、前記第１収容部と前記第２収容部との間を隔離する隔離部と、を有し、前記隔離部は、外部から所定の大きさ以上の力が加えられることにより前記第２収容部に収容された前記液体が前記第１収容部に流入するように前記第１収容部と前記第２収容部とを連通させる連通部を有する。
【０００７】
前記連通部は、前記第２収容部の外面が前記所定の大きさの力で押された場合には前記第１収容部と前記第２収容部とを連通させなくてもよい。
【０００８】
前記布収容器は、前記連通部に接続されており、前記第１収容部と前記第２収容部とを連通させるための開口を形成するための力を受けるための操作部をさらに有してもよい。
【０００９】
前記操作部は、前記連通部に接続された糸を含み、前記連通部は、前記糸が前記布収容器から離れる向きに力が加えられることにより前記開口を形成してもよい。
【００１０】
前記第１収容部は、前記布として不織布を収容し、前記第２収容部は、前記液体としてアルカリイオン水を収容してもよい。
【００１１】
前記第１収容部及び前記第２収容部と隔離されており、前記第２収容部に収容された液体と同一の成分又は異なる成分の液体を収容する第３収容部をさらに有してもよい。
【００１２】
前記第２収容部に収容された前記液体を前記第１収容部及び前記第２収容部の外部に排出するための排出口をさらに有してもよい。
【発明の効果】
【００１３】
本発明によれば、液体で濡れた状態で使用できる布の品質の劣化を抑制することができるという効果を奏する。
【図面の簡単な説明】
【００１４】
【図１】布収容器の構成を示す図である。
【図２】隔離部の構成を模式的に示す図である。
【図３】隔離部の構成を模式的に示す図である。
【図４】第１変形例に係る布収容器の構成を示す図である。
【図５】第１変形例に係る布収容器の構成を示す図である。
【図６】第２変形例に係る布収容器の構成を示す図である。
【図７】第３変形例に係る布収容器の構成を示す図である。
【図８】第４変形例に係る布収容器の構成を示す図である。
【発明を実施するための形態】
【００１５】
［布収容器１の構成］
図１は、布収容器１の構成を示す図である。布収容器１は、布Ｃと、布Ｃのユーザが布Ｃを使用する前に布Ｃを濡れた状態にするための液体Ｌとを収容する容器である。布Ｃは、例えば身体を拭くことができる大きさであり、折りたたまれた状態で布収容器１に収容されている。布Ｃは例えば不織布であるが、不織布以外の布であってもよい。液体Ｌは、例えばアルカリイオン水であるが、身体を拭くために適した液体であれば、アルカリイオン水以外の液体であってもよい。
【００１６】
図１（ａ）は、布収容器１の内部を透視した状態を示す図であり、図１（ｂ）は、図１（ａ）におけるＡ−Ａ線断面図である。図１に示すように、布収容器１は、布Ｃ及び液体Ｌを収容する包装体１１と、包装体１１の内部に形成された隔離部１２とを有する。包装体１１は、例えばアルミ蒸着フィルムにより形成されている。包装体１１の材料としては、液体Ｌが漏れないように収容可能な材料であれば、プラスチック又は金属等の任意の材料を用いることができる。
【００１７】
包装体１１の内部には、布Ｃが収容された第１収容部１４と、液体Ｌが収容された第２収容部１５とが設けられている。隔離部１２は、第１収容部１４と第２収容部１５との間を隔離するための部材であり、包装体１１の内面に固定されている。隔離部１２は、包装体１１と同じ材料により形成されていてもよく、包装体１１と異なる材料により形成されていてもよい。
【００１８】
図２及び図３は隔離部１２の構成を模式的に示す図である。隔離部１２は、隔壁部１２１と、連通部１２２とを有する。隔壁部１２１は、包装体１１の内面に固定されている。隔壁部１２１は、例えば樹脂製のフィルムにより形成されているが、隔壁部１２１は樹脂によらず他の材質の材料により形成されていてもよい。
【００１９】
連通部１２２は、隔壁部１２１の一部の領域に設けられている。連通部１２２は、例えば可撓性を有する樹脂製のフィルムにより形成されているが、連通部１２２は樹脂によらず、可撓性を有する他の材料により形成されていてもよい。
【００２０】
連通部１２２は、外部から所定の大きさ以上の力が加えられることにより、第２収容部１５に収容された液体Ｌが第１収容部１４に流入するように第１収容部１４と第２収容部１５とを連通させる。隔離部１２が第１収容部１４と第２収容部１５とを連通させるための力をユーザが加えることができるように、隔離部１２には、ユーザが引っ張ることができる糸１３が接続されている。糸１３は、第１収容部１４と第２収容部１５とを連通させるための開口を連通部１２２に形成するための力を受ける操作部として機能する。
【００２１】
連通部１２２は、隔壁部１２１の中央付近に設けられており、長尺状の形状をしている。隔壁部１２１と連通部１２２との境界付近において、隔壁部１２１又は連通部１２２の少なくともいずれかの厚みが、隔壁部１２１における連通部１２２との境界付近以外の領域（例えば包装体１１の内面に固定されている領域）の隔壁部１２１の厚みよりも小さい。
【００２２】
隔壁部１２１と連通部１２２との境界付近に、他の領域よりも薄い領域が形成されていることにより、布収容器１から離れる向きの力が糸１３に加えられることで連通部１２２が隔壁部１２１から乖離して、連通部１２２が設けられていた位置に開口１２３が形成される。具体的には、ユーザが糸１３を布収容器１から離れる向き（図２に示す矢印の向き）に力を加えて糸１３を引っ張ると、隔壁部１２１と連通部１２２との境界付近における薄い領域が切断される。その結果、図３に示すように連通部１２２の一部が隔壁部１２１から乖離して、開口１２３が形成される。ユーザが糸１３を引っ張り続けることで、連通部１２２が設けられていた領域全体に開口１２３が形成される。
【００２３】
隔離部１２に開口１２３が形成されると、第２収容部１５に収容されている液体Ｌが第１収容部１４に流入する。その結果、布Ｃが液体Ｌによって濡れた状態になる。ユーザは、この状態で包装体１１を切断することにより、濡れた状態の布Ｃを取り出すことができる。
【００２４】
ところで、布収容器１は災害用品として、多数の布収容器１が積み重ねられた状態で保管されたり、多数の布収容器１が積み重ねられた状態で輸送されたりする。このような状態で布収容器１に外部から押圧が加わることにより隔離部１２に開口１２３が形成されてしまうと、液体Ｌが第１収容部１４に流入してしまう。そこで、連通部１２２は、連通部１２２の長手方向の所定の大きさの力が糸１３を介して加えられた場合には第１収容部１４と第２収容部１５とを連通させ、第２収容部１５の外面が、開口１２３を形成するためにユーザが糸１３に加える所定の大きさの力よりも小さい力で押された場合には第１収容部１４と第２収容部１５とを連通させないように構成されている。
【００２５】
例えば、隔壁部１２１と連通部１２２との境界部分の厚みは、開口１２３を形成するためにユーザが糸１３に加える所定の大きさの力よりも小さい力が、隔離部１２と直交する方向に加わっても連通部１２２が隔壁部１２１から乖離しない大きさになっている。連通部１２２は、例えば段ボール箱に複数の布収容器１が収容された状態で布収容器１に加わる力により第１収容部１４と第２収容部１５とを連通させないように構成されている。
【００２６】
以上説明したように、布収容器１は、第１収容部１４と第２収容部１５とを隔離する隔離部１２を有しており、隔離部１２は、外部から所定の大きさ以上の力が加えられることにより第２収容部１５に収容された液体Ｌが第１収容部１４に流入するように第１収容部１４と第２収容部１５とを連通させる連通部１２２を有する。布収容器１がこのような構成を有することで、布Ｃと液体Ｌとを分離した状態で長期間にわたって保存しておき、ユーザが液体Ｌで濡れた布Ｃを使用する時点で布Ｃを液体Ｌで濡らすことができる。したがって、布Ｃ及び液体Ｌが腐食しづらいので、布Ｃ及び液体Ｌを長期間にわたって保存することができる。
【００２７】
また、布収容器１に収容される液体Ｌが腐食しづらいので、従来のように液体Ｌに防腐剤を入れる必要がない。したがって、布収容器１によれば、液体Ｌで濡らした布Ｃで身体を拭いても身体に悪影響が及ばないという効果も生じる。
【００２８】
なお、ユーザが糸１３を引っ張ることにより開口１２３が形成された状態で、糸１３が包装体１１を貫通している穴から液体Ｌが漏れないようにするために、糸１３の途中、糸１３と連通部１２２との境界部分、又は連通部１２２の一部の箇所に、糸１３が貫通する穴を防ぐ封止部材が設けられていてもよい。封止部材は、例えば柔軟性がある樹脂又はゴムにより形成されており、糸１３が貫通する穴よりも大きい。糸１３又は連通部１２２にこのような封止部材が設けられていることにより、ユーザが糸１３を引っ張ることにより封止部材が穴に到達した時点で封止部材が穴を塞ぐ。その結果、ユーザは、糸１３が貫通する穴から液体Ｌが漏れない状態で布収容器１を使用することができる。
【００２９】
また、第２収容部１５には、布Ｃが吸収することができる量の液体Ｌが収容されるように構成されていてもよい。第２収容部１５にこのような量の液体Ｌが収容されていることにより、液体Ｌが布Ｃに吸収された後に、ユーザが液体Ｌを捨てる必要がない。したがって、ユーザは、残留した液体Ｌを捨てられる場所に移動する必要がないので、布収容器１は、災害時の避難場所等での使用に好適である。
【００３０】
［第１変形例］
図４及び図５は、第１変形例に係る布収容器２の構成を示す図である。布収容器２は、図１に示した隔離部１２及び糸１３の代わりに主隔離部１６及び副隔離部１７を有する。主隔離部１６及び副隔離部１７は、隔離部１２と同様に、第１収容部１４と第２収容部１５とを隔離する部材であり、例えば樹脂製のフィルムにより形成されている。
【００３１】
図４（ｂ）は、主隔離部１６と副隔離部１７との接続部付近の拡大図である。主隔離部１６は、第１の厚みの隔壁部１６１と、隔壁部１６１と副隔離部１７との間に形成された、第１の厚みよりも小さい第２の厚みの破断部１６２とを有する。副隔離部１７は、第１の厚みよりも大きい第３の厚みの封鎖部１７１と、第３の厚みよりも小さい第４の厚み（例えば第１の厚みと同じ厚み）の操作部１７２とを有する。
【００３２】
ユーザが、操作部１７２を布収容器１から離れる向きに力を加えたり、操作部１７２を捩る力を加えたりすることで、連通部として機能する破断部１６２が破断して、図５に示すように、主隔離部１６と副隔離部１７との間に開口が形成される。この状態で、図５（ａ）に示すように、第２収容部１５に収容された液体Ｌが第１収容部１４に流入する。
【００３３】
なお、ユーザが操作部１７２を引っ張ることにより、封鎖部１７１が包装体１１の内面に接する状態になる。封鎖部１７１の厚みが操作部１７２の厚みよりも大きいことにより、封鎖部１７１が包装体１１の内面に接した状態で、操作部１７２を引っ張ることにより包装体１１に形成された穴が、封鎖部１７１により塞がれる。その結果、液体Ｌが包装体１１の外部に漏れることが抑制される。封鎖部１７１は、液体Ｌが包装体１１の外部に漏れにくくするために、ゴム材により形成されていてもよい。
【００３４】
また、布収容器２には、主隔離部１６における副隔離部１７が設けられた側と反対の側に、副隔離部１７と同様の副隔離部が設けられていてもよい。この場合、第１収容部１４と第２収容部１５との間に２つの開口が形成されるので、第２収容部１５内の液体Ｌが第１収容部１４に流入しやすくなる。
【００３５】
［第２変形例］
図６は、第１変形例に係る布収容器３の構成を示す図である。図６は、図４に示した布収容器２における副隔離部１７の代わりに操作部１８を有する。操作部１８は、Ｌ字形状の硬質樹脂又は金属等のように、主隔離部１６よりも硬い素材により形成されている。操作部１８は、包装体１１の内部において、連通部として機能する一端が主隔離部１６と接合されている。
【００３６】
ユーザが、操作部１８における包装体１１の外側に設けられた部分を図６（ａ）の矢印に示す向きに動かす力を加えることで、主隔離部１６と操作部１８との接合状態が解消され、図６（ｂ）に示すように、主隔離部１６と操作部１８との間に開口が形成される。この状態で、図６（ｂ）に示すように、第２収容部１５に収容された液体Ｌが第１収容部１４に流入する。布収容器３においても、布収容器２と同様に、第１収容部１４と第２収容部１５との間に２つの開口が形成されるように、操作部１８が主隔離部１６の両側に設けられていてもよい。
【００３７】
［第３変形例］
図７は、第３変形例に係る布収容器４の構成を示す図である。布収容器４は、図１に示した布収容器１における第２収容部１５に排出部１９が形成されており、排出部１９を覆うための蓋２０が設けられている。排出部１９は、第２収容部１５に収容された液体Ｌを第１収容部１４及び第２収容部１５の外部に排出するための排出口である。
【００３８】
ユーザは、蓋２０を外すことで、液体Ｌを布収容器１の外部に排出させ、排出した液体Ｌを、例えばマウスウォッシュ用に使用することができる。ユーザは、第２収容部１５に収容された液体Ｌの一部を排出部１９から排出させた後に蓋２０を閉め、蓋２０を閉めた後に糸１３を引っ張ることにより、残った液体Ｌで布Ｃを濡らすようにしてもよい。布収容器４がこのような構成を有することで、ユーザが、濡れた布Ｃで身体を拭くとともに、液体Ｌで口をすすぐことができる。
【００３９】
［第４変形例］
図８は、第４変形例に係る布収容器５の構成を示す図である。布収容器５は、第１収容部１４及び第２収容部１５と隔離されており、かつ第２収容部１５に収容された液体Ｌ１と同一の成分又は異なる成分の液体Ｌ２を収容する第３収容部２１をさらに有する。第２収容部１５と第３収容部２１とは、隔離部２２により隔離されている。第３収容部２１には、図７に示した布収容器４に設けられていた排出部１９及び蓋２０が設けられており、ユーザは、蓋２０を外すことにより、第３収容部２１に収容された液体Ｌ２を布収容器５の外部に排出させることができる。布収容器５がこのような構成を有することで、ユーザは、糸１３を引っ張ることにより布Ｃを液体Ｌ１で濡らすとともに、蓋２０を外すことで排出させた液体Ｌ２で口をすすぐことができる。
【００４０】
［他の変形例］
以上の説明においては、操作部１３、操作部１７２、操作部１８等に力が加えられることにより第１収容部１４と第２収容部１５とが連通する布収容器を例示したが、布収容器が操作部を有していなくてもよい。連通部は、操作部に力が加えられる代わりに、包装体１１における第２収容部１５の領域に押圧が加えられることにより第１収容部１４と第２収容部１５とを連通させるように構成されていてもよい。連通部は、例えば第２収容部１５の領域に押圧が加えられることにより破断する薄膜により構成されていてもよい。
【００４１】
また、第１収容部１４と第２収容部１５とを隔離し、外部から力が加わることにより開口を形成する連通部の構成として複数の構成を例示したが、本発明における連通部の態様は上記の実施の形態に限定されず、当業者が想起できる他の形態を含む。
【００４２】
また、以上の説明においては、第１収容部１４と第２収容部１５とが包装体１１の内側における異なる領域に含まれていたが、第１収容部１４の内側に第２収容部１５が設けられていてもよく、第２収容部１５の内側に第１収容部１４が設けられていてもよい。この場合、第１収容部１４と第２収容部１５とを隔離する隔離部により、内側の収容部の外縁が画定される。布収容器がこのような入れ子構造を有する場合であっても、上記の実施の形態と同等の効果が生じる。
【００４３】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。例えば、図１から図８に示した各種の構成の一部を他の図に示した構成と組み合わせてもよい。複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００４４】
１、２、３、４、５  布収容器
１１  包装体
１２  隔離部
１３  糸
１４  第１収容部
１５  第２収容部
１６  主隔離部
１７  副隔離部
１８  操作部
１９  排出部
２０  蓋
２１  第３収容部
２２  隔離部
１２１  隔壁部
１２２  連通部
１２３  開口
１６１  隔壁部
１６２  破断部
１７１  封鎖部
１７２  操作部
【図１】
2020147312.tif 000003
【図２】
2020147312.tif 000004
【図３】
2020147312.tif 000005
【図４】
2020147312.tif 000006
【図５】
2020147312.tif 000007
【図６】
2020147312.tif 000008
【図７】
2020147312.tif 000009
【図８】
2020147312.tif 000010